(57)【要約】【課題】ハンドオフ領域における高速パケットデータの順方向媒体接近制御チャンネルの結合方法及び装置を提供する。【解決手段】異なるセクタから異なる媒体接近制御インデックス（ＭＡＣインデックス）が割り当てられたフィンガにおいてシンボルを復調するステップと、セクタ毎にユーザに割り当てられたＭＡＣインデックスを参照して、同位相にて伝送されるチャンネルと直交位相にて伝送されるチャンネルを整列及び区分するステップと、上記整列及び区分されたシンボルをセル毎にソフト結合するステップと、上記ソフト結合されたシンボルをＭＡＣサブチャンネル毎にデマルチプレックスするステップと、各セル毎にＭＡＣサブチャンネル毎のシンボル指令を決定し、論理的結合を行うステップと、を含むことを特徴とする高速パケットデータの順方向媒体接近制御チャンネルの結合方法。【選択図】図３
2007189700.tif 000002
【特許請求の範囲】
【請求項１】
ハンドオフ領域における高速パケットデータの順方向媒体接近制御チャンネルの結合方法であって、
異なるセクタから異なる媒体接近制御インデックス（ＭＡＣインデックス）が割り当てられたフィンガにおいてシンボルを復調するステップと、
セクタ毎にユーザに割り当てられたＭＡＣインデックスを参照して、同位相にて伝送されるチャンネルと直交位相にて伝送されるチャンネルを整列及び区分するステップと、
前記整列及び区分されたシンボルをセル毎にソフト結合するステップと、
前記ソフト結合されたシンボルをＭＡＣサブチャンネル毎にデマルチプレックスするステップと、
各セル毎にＭＡＣサブチャンネル毎のシンボル指令を決定し、論理的結合を行うステップと、を含むことを特徴とする高速パケットデータの順方向媒体接近制御チャンネルの結合方法。
【請求項２】
前記ＭＡＣインデックスを参照することは、７ビットのＭＡＣインデックスにおける最下位ビット値を用いて同位相及び直交位相信号の交換有無を決定するものであることを特徴とする請求項１に記載の高速パケットデータの順方向媒体接近制御チャンネルの結合方法。
【請求項３】
前記ＭＡＣサブチャンネル毎にデマルチプレックスを行うステップでは、前記同位相もしくは直交位相のうちどちらか一方の位相信号から逆方向の電力制御（ＲＰＣ）とデータ伝送率制御固定（ＤＲＣロック）チャンネルを受信し、サブチャンネルデマルチプレックスを当該１位相にてのみ行うことを特徴とする請求項１に記載の高速パケットデータの順方向媒体接近制御チャンネルの結合方法。
【請求項４】
前記ＭＡＣサブチャンネル毎にデマルチプレックスを行うステップでは、前記同位相もしくは直交位相のうちどちらか一方の位相信号から逆方向の電力制御（ＲＰＣ）と自動繰り返し要請（ハイブリッド／ラスト−ＡＲＱ）チャンネルを受信してデマルチプレックスを行い、他方の位相にてはデータ伝送率制御固定（ＤＲＣロック）と自動繰り返し要請（パケット−ＡＲＱ）チャンネルを受信してデマルチプレックスを行うことを特徴とする請求項１に記載の高速パケットデータの順方向媒体接近制御チャンネルの結合方法。
【請求項５】
ハンドオフ領域における高速パケットデータの順方向媒体接近制御チャンネルの結合装置であって、
送信器から伝送されてきた信号を受信して処理する受信機入力端処理器と、
前記受信した信号からマルチパス信号を検出し、該マルチパス検出情報を出力する探索器と、
前記マルチパス検出情報を受け取り、該各パスを各フィンガに割り当て、順方向媒体接近制御（ＭＡＣ）インデックスを参照してシンボルを制御するマイクロプロセッサと、
異なるセクタからＭＡＣインデックスとマルチパス信号が割り当てられたフィンガにおいてマルチパス信号を復調するフィンガ毎のシンボル復調器と、
前記セクタ毎にユーザに割り当てられたＭＡＣインデックスを参照して、同位相にて伝送されるチャンネルと直交位相にて伝送されるチャンネルを整列及び区分する同位相／直交位相交換器と、
前記整列及び区分されたシンボルをセル毎にソフト結合するシンボル結合器と、
前記ソフト結合されたシンボルをＭＡＣサブチャンネル毎にデマルチプレックスするサブチャンネルデマルチプレックサと、
各セル毎にＭＡＣサブチャンネル毎のシンボル指令を決定し、論理的結合を行うサブチャンネルシンボル決定器と、を備えることを特徴とする高速パケットデータの順方向媒体接近制御チャンネルの結合装置。
【請求項６】
前記マイクロプロセッサにおいてＭＡＣインデックスを参照することは、７ビットのＭＡＣインデックスにおける最下位ビット値を用いて同位相及び直交位相信号の交換有無を決定するものであることを特徴とする請求項５に記載の高速パケットデータの順方向媒体接近制御チャンネルの結合装置。
【請求項７】
前記サブチャンネルデマルチプレックサは、前記同位相もしくは直交位相のうちどちらか一方の位相信号から逆方向電力制御（ＲＰＣ）とデータ伝送率制御固定（ＤＲＣロック）チャンネルを受信し、サブチャンネルデマルチプレックスを当該１位相にてのみ行うことを特徴とする請求項５に記載の高速パケットデータの順方向媒体接近制御チャンネルの結合装置。
【請求項８】
前記サブチャンネルデマルチプレックサは、前記同位相もしくは直交位相のうちどちらか一方の位相信号から逆方向電力制御（ＲＰＣ）と自動繰り返し要請（ハイブリッド／ラスト−ＡＲＱ）チャンネルを受信してデマルチプレックスを行い、他方の位相にてはデータ伝送率制御固定（ＤＲＣロック）と自動繰り返し要請（パケット−ＡＲＱ）チャンネルを受信してデマルチプレックスを行うことを特徴とする請求項５に記載の高速パケットデータの順方向媒体接近制御チャンネルの結合装置。
【発明の詳細な説明】
【技術分野】
【０００１】
本発明は、高速パケットデータ（High Rate Packet Data、以下、「ＨＲＰＤ」と称する。）システムのレイク（ＲＡＫＥ）受信機に係り、さらに詳しくは、順方向媒体接近制御（Medium Access Control、以下、「ＭＡＣ」と称する。）チャンネルの効率よい結合方法及び装置に関する。
【背景技術】
【０００２】
ＨＲＰＤシステムの順方向ＭＡＣチャンネルは、逆方向電力制御（Reverse Power Control、以下、「ＲＰＣ」と称する。）と同一である。以下、添付図面に基づき詳述する。
【０００３】
図１は、従来のレイク受信構造を示すものである。図１を参照すると、図１における受信装置は、１つのセルに対応してＮ個のフィンガを割り当て、Ｋ個のセルから伝送される信号を受信している。すなわち、受信装置は、フィンガをＮ個割り当て、セルがＫ個割り当てられている場合である。
【０００４】
受信したデータ信号は、受信機入力端処理器１１０において処理される。探索器１２０は、受信機の入力端処理器１１０において処理された信号からマルチパス信号のそれぞれを検出する。マイクロプロセッサ１３０は、マルチパス信号のそれぞれに対してフィンガを割り当てる。レイク受信機のフィンガ１３５、１４０は、各検出されたパスの信号を復調する。結合器１６５、１７０は、上記復調された信号をセル毎に結合する。シンボル決定器１７５は、上記結合器１６５、１７０の出力信号を考慮して送信シンボルを決定する。図１中、送信装置から伝送されてきた信号は、順方向の電力制御サブチャンネル（Forward Power Control Sub-Channel、以下、「Ｆ−ＰＣＳＣＨ」と称する。）である場合を例に挙げて説明している。
【０００５】
ｃｄｍａ２０００  １ｘの場合、上記Ｆ−ＰＣＳＣＨは、同位相と直交位相にて同時に伝送され、すなわち、各位相にて同じシンボルが伝送される。
【０００６】
このため、従来の移動通信システムにおいては、セルシンボル結合器１６５は、セル毎にＦ−ＰＣＳＣＨを区分して、シンボル結合時にソフト結合を行い、その後、セル毎に結合されたシンボルがシンボル決定器１７５に入力されてセル毎にＦ−ＰＣＳＣＨシンボルが決定され、異なるセル同士の論理的結合が行われる。
【０００７】
上述のように、従来の技術によるｃｄｍａ２０００  １Ｘシステムにおいては、ソフターハンドオフ領域において１つのセルをなす多数のセクタが同じＦ−ＰＣＳＣＨシンボルを伝送し、このため、受信装置が同位相、直交位相信号を問わずにソフト結合を行ってシンボル決定を行っていた。
【０００８】
しかしながら、ＨＲＰＤシステムの導入に伴い、送信信号が異なる位相にて異なる情報が伝送される技術に発展してきている。これに伴い、受信装置の構造の変更が望まれていた。
【特許文献１】韓国特許出願公開２００５−１１４６３１号公報
【発明の開示】
【発明が解決しようとする課題】
【０００９】
本発明は、上記事情に鑑みてなされたものであり、その目的は、高速パケットデータ（ＨＲＰＤ）システムのレイク受信機におけるＭＡＣチャンネルの効率よい結合方法及び装置を提供することである。
【００１０】
本発明の他の目的は、高速パケットデータシステムにおけるレイク受信機においてＭＡＣチャンネル同士を効率よく結合するために、各セクタ毎のＭＡＣインデックスに基づき、フィンガにおいて同位相／直交位相の信号を交換することにより、同じセクタに割り当てられたフィンガから出力される信号同士の結合過程をセクタ同士のソフト結合時に同時に行い、セクタ毎のシンボル結合器を省き、セクタ毎のサブチャンネルデマルチプレックスロジックをセル毎のサブチャンネルデマルチプレックスロジックに変更して実現する方法及び装置を提供することである。
【課題を解決するための手段】
【００１１】
上記目的を達成するために、本発明の一実施の形態によれば、ハンドオフ領域における高速パケットデータの順方向媒体接近制御チャンネルの結合方法であって、異なるセクタから異なる媒体接近制御インデックス（ＭＡＣインデックス）が割り当てられたフィンガにおいてシンボルを復調するステップと、セクタ毎にユーザに割り当てられたＭＡＣインデックスを参照して、同位相にて伝送されるチャンネルと直交位相にて伝送されるチャンネルを整列及び区分するステップと、上記整列及び区分されたシンボルをセル毎にソフト結合するステップと、上記ソフト結合されたシンボルをＭＡＣサブチャンネル毎にデマルチプレックスするステップと、各セル毎にＭＡＣサブチャンネル毎のシンボル指令を決定し、論理的結合を行うステップと、を含むことを特徴とする高速パケットデータの順方向媒体接近制御チャンネルの結合方法を提供する。
【００１２】
上記目的を達成するために、本発明の他の実施の形態によれば、ハンドオフ領域における高速パケットデータの順方向媒体接近制御チャンネルの結合装置であって、送信器から伝送されてきた信号を受信して処理する受信機入力端処理器と、上記受信した信号からマルチパス信号を検出し、該マルチパス検出情報を出力する探索器と、上記マルチパス検出情報を受け取り、該各パスを各フィンガに割り当て、順方向媒体接近制御（ＭＡＣ）インデックスを参照してシンボルを制御するマイクロプロセッサと、異なるセクタからＭＡＣインデックスとマルチパス信号が割り当てられたフィンガにおいてマルチパス信号を復調するフィンガ毎のシンボル復調器と、上記セクタ毎にユーザに割り当てられたＭＡＣインデックスを参照して、同位相にて伝送されるチャンネルと直交位相にて伝送されるチャンネルを整列及び区分する同位相／直交位相交換器と、上記整列及び区分されたシンボルをセル毎にソフト結合するシンボル結合器と、上記ソフト結合されたシンボルをＭＡＣサブチャンネル毎にデマルチプレックスするサブチャンネルデマルチプレックサと、各セル毎にＭＡＣサブチャンネル毎のシンボル指令を決定し、論理的結合を行うサブチャンネルシンボル決定器と、を備えることを特徴とする高速パケットデータの順方向媒体接近制御チャンネルの結合装置を提供する。
【発明の効果】
【００１３】
本発明に開示される発明のうち代表的なものによって得られる効果を簡単に説明すると、下記の通りである。
【００１４】
本発明は、レイク受信機上においてＩ／Ｑ交換器を用いることにより、ソフターハンドオフ領域における異なるセクタから異なるＭＡＣインデックスに基づいて伝送されてくる信号をソフト結合する。
【００１５】
その実施形態として、ＨＲＰＤシステムにおけるレイク受信機の各フィンガとＩ／Ｑ交換器の出力を説明すると、Ｒｅｖ．０の場合、同位相出力はＲＰＣ、ＤＲＣロックシンボルになることがあり、直交位相出力はデータが存在しない。また、Ｒｅｖ．Ａの場合、同位相出力はＲＰＣ、Ｈ／Ｌ−ＡＲＱシンボルになることがあり、直交位相出力はＤＲＣロック、Ｐ−ＡＲＱシンボルになることがある。さらに、上述の順方向ＭＡＣサブチャンネルの同位相／直交位相は互いに逆になることもある。よって、上記Ｉ／Ｑ交換器を用いてセクタ毎のシンボル結合器の省略によるハードウェアの効率化を図ることができる。また、本発明において、セクタ毎のサブチャンネルデマルチプレックスロジックを、より少数のセル毎のサブチャンネルデマルチプレックスロジックにより実現することにより、ハードウェアの効率化を図ることができるという効果がある。
【発明を実施するための最良の形態】
【００１６】
以下、添付した図面を参照して、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。そして、後述する用語は本発明における機能を考慮して定義されたものであって、これは、ユーザ、運用者の意図または慣例などによって変わりうる。よって、その定義は、この明細書の全般に亘っての内容を基に行われるべきである。
【００１７】
ＨＲＰＤシステムにおける順方向ＭＡＣチャンネルは、呼設定が行われてからスロット毎にて伝送されるチャンネルである。
【００１８】
上記順方向ＭＡＣチャンネルは、ＭＡＣレイヤにおいて発生する情報を送信するチャンネルであって、メッセージ情報でなくビット情報が送信される。また、上記順方向ＭＡＣチャンネルは、順方向トラフィックチャンネル（Forward Traffic Channel、以下、「ＦＴＣ」と称する。）のように、ユーザ毎にデータが時分割多重化（Time Division Mulitplexing）されて伝送されるのではなく、ユーザ間においてコード分割多重化（Code Devision Multiplexing）されて伝送される。
【００１９】
このとき、ユーザ毎のコードは、各ユーザに与えられるＭＡＣインデックスから決定される。ここで、上記ＭＡＣインデックスは、トラフィックチャンネル割り当てメッセージ（ＴＣＡＭ：Traffic Channel Assignment Message）に含まれたパラメータである。上記順方向ＭＡＣチャンネルにおいて使用可能なＭＡＣインデックス対比ユーザ毎のウォルシュコードは、下記表１の通りである。
【００２０】
【表１】
2007189700.tif 000003
【００２１】
上記表１において、Ｎ／Ａは、「Ｎｏｔ Ａｖａｉｌａｂｌｅ」であって、順方向ＭＡＣチャンネルにおいて使用しないことを意味する。そして、ウォルシュコードの長さは、Ｒｅｖ．０で６４であり、Ｒｅｖ．Ａで１２８である。
【００２２】
上記順方向ＭＡＣチャンネルは、逆方向電力制御（ＲＰＣ）、データ伝送率制御固定（Data Rate Control ロック、以下、「ＤＲＣロック」と称する。）、逆方向アクティビティ（Reverse Activity、以下、「ＲＡ」と称する。）、自動繰り返し要請（Automatic Repeatre Quest、以下、「ＡＲＱ」と称する。）（Ｒｅｖ．Ａ ｏｎｌｙ）のサブチャンネルに区分され、ＢＰＳＫ（Binary Phase Shift Keying）に変調されて伝送される。
【００２３】
上記ＡＲＱは、受信側では受信したデータの誤り発生時に送信側に通報し、送信側では誤り発生ブロックを伝送し直す。
【００２４】
上記ＲＰＣは、逆方向トラフィックチャンネル及び制御チャンネルに対する電力制御ビット（Power Control Bit、ＰＣＢ）を送信するために用いられる。
【００２５】
上記ＤＲＣロックは、基地局が逆方向データ率制御（Date Rate Control、ＤＲＣ）チャンネルデータを正常に受信しているかどうかを示す情報を端末に伝送するために用いられる。
【００２６】
上記ＲＡは、基地局が逆方向リンクのロードの度合いを端末に知らせる情報を伝送する制御チャンネルであって、端末は、上記ＲＡビットを逆方向トラフィックチャンネルのデータ伝送率を決定する上で用いる。
【００２７】
ここで、上記ＲＡチャンネルは、単一のセクタ内において多数のユーザに伝送される共用チャンネルであり、ウォルシュコードは常に２番を用いて同位相にて伝送される。上記ＲＡチャンネルはセクタ毎に異なる情報を伝送するため、ソフターハンドオフ領域においてソフト結合を行わない。
【００２８】
上記ＲＡチャンネルを除く残りのＭＡＣサブチャンネルは、各ユーザ毎の専用チャンネルであり、ＭＡＣインデックスに基づいて定まるウォルシュコードを用いる。
【００２９】
そして、上記ＲＡチャンネルを除く残りのサブチャンネルは、ＢＰＳＫ変調が行われるとき、上記表１に示すように、ＭＡＣインデックスが偶数であるか、奇数であるかによって、各サブチャンネルが同位相にて伝送されるか、直交位相にて伝送されるかが定められる。
【００３０】
上記ＲＡチャンネルを除く順方向ＭＡＣチャンネルは、ソフターハンドオフ領域における多数のセクタから同じ情報が伝送されることがあるため、これをソフト結合して復調できなければならない。このとき、各セクタにおける端末（ＡＴ：Access Terminal）に割り当てられたＭＡＣインデックスは異なる値を持つことがある。
【００３１】
このため、いずれかのセクタにおいては、ＭＡＣサブチャンネルが同位相にて伝送されるが、他のセクタにおいては同じＭＡＣサブチャンネルが直交位相にて伝送されることがあるため、ＭＡＣインデックスに基づいて適切に区分してソフト結合を行う必要がある。順方向ＭＡＣサブチャンネルがマルチセクタから同位相と直交位相毎に異なる情報を含めて伝送されるような構造を有する。
【００３２】
上記マルチセクタだけでなく、マルチセルから順方向ＭＡＣチャンネルが伝送されるため、セル毎に区分して順方向ＭＡＣチャンネルを復調しなければならない。通常、同じセルに含まれている多数のセクタからは同じ順方向ＭＡＣチャンネルシンボルを伝送し、セル同士には異なる情報を持つ順方向ＭＡＣチャンネルシンボルを伝送する。
【００３３】
このため、順方向ＭＡＣチャンネル受信機においては、同じセル内のセクタから伝送される同じシンボルの順方向ＭＡＣチャンネルはソフト結合して１セルから伝送する順方向ＭＡＣチャンネルシンボルを決定し、その後、セル毎の順方向ＭＡＣチャンネルシンボル同士の論理的結合を行って、最終の順方向ＭＡＣチャンネルシンボル値を決定する。例外的に、ＤＲＣロックチャンネルは、論理的結合は行うことなく、セル毎のシンボル決定のみを行ってもよい。
【００３４】
上述の毎きＨＲＰＤシステムのハンドオフ領域におけるソフト結合の有無は、ルートアップデートプロトコル（ＲＵＰ：Route Update Protocol）の「Softer Handoff」パラメータにより決定される。
【００３５】
このように、順方向ＭＡＣサブチャンネルのうち上記ＲＡチャンネルは、ユーザ毎のＭＡＣインデックスに基づいて区分されるのではなく、固定されたＭＡＣインデックス（＝４）を用いて、ソフターハンドオフ領域においてソフト結合を行っていない共用のチャンネルであるため、本発明の内容から排除し、この明細書においては、順方向ＭＡＣサブチャンネルのうちユーザ毎に専用に割り当てられるＲＰＣ、ＤＲＣロック、ＡＲＱ（ハイブリッド／ラスト／パケット）チャンネルの受信時に有効なハードウェア構造を提案する。
【００３６】
＜第１の実施の形態＞
第１の実施の形態においては、順方向ＭＡＣチャンネルをソフト／ソフターハンドオフ領域において復調するために、次の過程を施す必要がある。
１）先ず、同じセクタに割り当てられたフィンガから受信した信号を、同位相は同位相同士に、直交位相は直交位相同士に結合する。
２）ＭＡＣインデックスを参照して、すなわち、７ビットのＭＡＣインデックスにおける最下位ビット値を用いて、特定のサブチャンネルを同位相にて伝送されるか、直交位相にて伝送されるかを区分し、さらに、時分割多重化されて伝送されるサブチャンネル毎にその伝送時点を区分してデマルチプレックスする。
３）次いで、同じシンボルを伝送する他のセクタの受信信号とセクタ間のシンボルをソフト結合しなければならない。
４）セクタ間のソフト結合されたシンボルは、１つのセルから受信された信号と見なされ、セル毎のシンボルを決定し、これをさらに論理的結合して最終の順方向ＭＡＣチャンネルのシンボルを決定する。例外的に、ＤＲＣロックチャンネルは論理的結合を行うことなく、セル毎のシンボルの決定のみを行ってもよい。
【００３７】
図２は、本発明の好適な第１の実施の形態による順方向ＭＡＣチャンネル受信構造を示す図である。
図２を参照すると、受信機は、フィンガをＮ個割り当て、セクタをＪ個割り当て、セルをＫ個割り当てた場合である。
【００３８】
受信機入力端処理器２１０は、デジタル無線通信端末において通常用いられる受信機アンテナ、ＲＦ受信モジュール、アナログ−デジタル変換器（ＡＤＣ）を備え、フィルタ、補間器などが設けられていてもよい。上記受信機入力端処理器２１０から出力される受信信号は、探索器２２０によりマルチパス信号が検出され、上記マルチパス検出情報がマイクロプロセッサ２３０に伝送されてフィンガが割り当てられる。
【００３９】
レイク受信機におけるフィンガ２３５、２４０は、各検出されたパスの信号に対して復調を行う。これは、通常のレイク受信機を採用する無線通信端末において通常用いられる方法である。
【００４０】
次いで、各フィンガ毎の信号はセクタ毎のシンボル結合器２４５、２５０に伝送され、上記セクタ毎のシンボル結合器２４５、２５０は、同じセクタに割り当てられたフィンガから受信した信号を、同位相は同位相同士に、直交位相は直交位相同士に結合し、Ｉ／Ｑデマルチプレックサ及びサブチャンネルデマルチプレックサ２５５、２６０に出力する。
【００４１】
上記Ｉ／Ｑデマルチプレックサ及びサブチャンネルデマルチプレックサ２５５、２６０上においては、上記マイクロプロセッサ２３０において管轄するＭＡＣインデックスを参照して、特定のサブチャンネルが同位相にて伝送されるか、直交位相にて伝送されるかを区分し、さらに、時分割多重化されて伝送されるサブチャンネル毎にその伝送時点を区分してデマルチプレックスする。
【００４２】
上記デマルチプレックスされた情報は、各セル毎に区別されてシンボル結合器２６５、２７０において同じシンボルを伝送する他のセクタの受信信号とセクタ間のシンボルをソフト結合し、サブチャンネルシンボル決定器２７５に伝送する。上記サブチャンネルシンボル決定器２７５において、セクタ間のソフト結合されたシンボルは、１つのセルから受信された信号として見なされ、各セル毎のシンボルを決定し、これをさらに論理的結合して最終の順方向ＭＡＣチャンネルのシンボルを決定する。
【００４３】
このように、上記第１の実施の形態を実現するためには、セクタ毎のシンボル結合器２４５、２５０とセクタ毎のサブチャンネルデマルチプレックスロジック２５５、２６０とセル毎のシンボル結合器２６５、２７５がさらに必要となる。
【００４４】
＜第２の実施の形態＞
第２の実施の形態においては、各セクタ毎のＭＡＣインデックスに基づいてフィンガにおいて同位相／直交位相の信号を交換することにより、同じセクタに割り当てられたフィンガから出力される信号同士の結合過程をセクタ間のソフト結合時に同時に行うことでハードウェアの効率を高めるとともに、ハードウェアからセクタ毎のシンボル結合器を省略することができ、セクタ毎のサブチャンネルデマルチプレックスロジックを、セル毎のサブチャンネルデマルチプレックスロジックに置き換えることができる。
【００４５】
このとき、ＨＲＰＤにて対応可能なセクタの数は最大６個であり、セルの数は定められていない。しなしながら、通常の対応セルの数は、対応セクタの数よりも少ない。
【００４６】
図３は、本発明の好適な第２の実施の形態による順方向ＭＡＣチャンネル受信構造を示す図である。
図３を参照すると、受信機は、フィンガがＮ個割り当てられており、セルがＫ個割り当てられている場合である。
【００４７】
受信機入力端処理器３１０から出力される受信信号は、探索器３２０によりマルチパス信号が検出され、上記マルチパス検出情報がマイクロプロセッサ３３０に伝送されてフィンガが割り当てられる。レイク受信機のフィンガ３３５、３４０は、各検出されたパスの信号を復調する。
【００４８】
次いで、各フィンガ毎の信号は、Ｉ／Ｑ交換器３４５、３５０により同位相にて伝送されるチャンネルと直交位相にて伝送されるチャンネルを整列及び区分して、上記同位相信号と直交位相信号が交換される。上記同位相信号と直交位相信号の交換有無は、上記マイクロプロセッサ３３０において各フィンガ毎の割り当てられたＭＡＣインデックスを参照して決定する。
【００４９】
一実施形態として、７ビットのＭＡＣインデックスにおける最下位ビットの値が「１」であれば、Ｉ／Ｑ交換を行い、「０」であれば、Ｉ／Ｑ交換を行わない。また、逆に、７ビットのＭＡＣインデックスにおける最下位ビットの値が「１」であれば、Ｉ／Ｑ交換を行うことなく、「０」であれば、Ｉ／Ｑ交換を行う。
【００５０】
各Ｉ／Ｑ交換器３５５、３６０の出力は、各セル毎のシンボル結合器３５５において結合されたものであり、各フィンガのセルもしくはセクタ割り当て情報をマイクロプロセッサ３３０において管轄してフィンガ出力の結合有無を決定する。次いで、セル毎にソフト結合されたシンボルは、サブチャンネルデマルチプレックサ３６５、３７０においてＲＰＣ、ＤＲＣロック、Ｈ／Ｌ／Ｐ−ＡＲＱチャンネル毎に信号が区分され、各サブチャンネル毎のシンボル決定器３７５に入力される。
【００５１】
上記シンボル決定器３７５においては、各セル毎にシンボルを決定し、これを論理的結合して最終の順方向ＭＡＣチャンネルのシンボルを決定する。
【００５２】
上記シンボル決定は、例えば、ＲＰＣチャンネルの場合、電力アップ指令と電力ダウン指令を伝送するに際し、セル毎に電力アップ指令であるか、電力ダウン指令であるかをそれぞれ決定した後、ダウン指令だけが含まれていると、最終のＲＰＣ指令はダウン指令であると決定する。その逆であると、アップ指令であると決定する。
【００５３】
他の例として、ＡＲＱチャンネルは、各セル毎に逆方向ＲＴＣ（Reverse Traffic Channel）パケットに対してＡＣＫ（Positive-Acknowledgement）であるか、ＮＡＫ（Negative-Acknowledgement）であるかを決定し、ＡＣＫだけが含まれていると、ＡＣＫであると決定し、その逆であると、ＮＡＫであると決定する。さらに他の例として、ＤＲＣロックチャンネルは、セル毎に論理的結合を行うことなく、セル毎のＤＲＣロックシンボルを決定してもよい。
【００５４】
上述のマイクロプロセッサ３３０の動作は、他の装置（例えば、ＤＳＰ（Digital Signal Processor））において行われてもよく、サブチャンネルシンボル決定動作も他の装置において行われてもよい。
【００５５】
各ＭＡＣサブチャンネルは、スロット（ここで、スロットは、１．６６７ｍｓの時間間隔）単位で時分割多重化されて伝送されるが、サブチャンネルデマルチプレックサロジックにおいて各ＭＡＣサブチャンネルの伝送タイミング情報を用いてＲＰＣ、ＤＲＣロック、ＡＲＱチャンネルを区分する。
【００５６】
すなわち、Ｒｅｖ．０の場合には、ＭＡＣインデックスに基づいて同位相もしくは直交位相のうちどちらか一方の位相信号からＲＰＣとＤＲＣロックチャンネルを受信し、サブチャンネルデマルチプレックスを当該１位相にてのみ行う。
【００５７】
一方、Ｒｅｖ．Ａの場合には、上記ＭＡＣインデックスに基づいて同位相もしくは直交位相のうちどちらか一方の位相信号からＲＰＣとＨ／Ｌ−ＡＲＱチャンネルを受信してデマルチプレックスを行い、他方の位相にてはＤＲＣロックとＰ−ＡＲＱチャンネルを受信してデマルチプレックスを行う。
【００５８】
図４は、本発明の好適な第２の実施の形態による順方向ＭＡＣチャンネル受信手続きを示すフローチャートである。
【００５９】
図４を参照すると、ステップＳ４０５において、受信機は、データ信号を受信して処理する。ステップＳ４１０において、探索器は、マルチパス信号を検出し、上記マルチパス検出情報は、ステップＳ４１５のマイクロプロセッサに伝送されてフィンガが割り当てられる。
【００６０】
ステップＳ４２０において、上記それぞれのフィンガは、各検出されたパスの信号に対して復調を行う。上記復調された信号はＩ／Ｑ交換器に伝送されて、ステップＳ４２５において、各フィンガ毎の割り当てられたＭＡＣインデックスを参照して交換有無を決定した上て交換する。上記割り当てられたＭＡＣインデックスに基づいて同位相にて伝送されるチャンネルと直交位相にて伝送されるチャンネルが異なるため、上記ＭＡＣインデックスを参照して、信号はＩ／Ｑを交換し、整列する。各Ｉ／Ｑ交換器の出力は、各セル毎のシンボル結合器に伝送されて、ステップＳ４３０において、セル毎にシンボルを結合し、ステップＳ４３５において、セル毎に結合されたシンボルは、サブチャンネルデマルチプレックサにおいてＲＰＣ、ＤＲＣロック、Ｈ／Ｌ／Ｐ−ＡＲＱチャンネル毎に信号を区分する。
【００６１】
ステップＳ４４０において、上記チャンネル毎に区分された信号は、サブチャンネル毎のシンボル決定器に入力されて各セル毎にシンボルを決定し、これを論理的結合して最終の順方向ＭＡＣチャンネルのシンボルを決定する。
【００６２】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００６３】
【図１】従来のＦ−ＰＣＳＣＨ受信構造を示す図である。
【図２】本発明の好適な第１の実施形態による順方向ＭＡＣチャンネル受信構造を示す図である。
【図３】本発明の好適な第２の実施形態による順方向ＭＡＣチャンネル受信構造を示す図である。
【図４】本発明の好適な第２の実施形態による順方向ＭＡＣチャンネル受信手続きを示すフローチャートである。
【符号の説明】
【００６４】
１２０：探索器
１３０：マイクロプロセッサ
１１０：受信機入力端処理器
１３５：フィンガ＃１シンボル復調
１４０：フィンガ＃Ｎシンボル復調
１６５：セル＃１シンボル結合器
１７０：セル＃Ｋシンボル結合器
１７５：シンボル決定器
２２０：探索器
２３０：マイクロプロセッサ
２１０：受信機入力端処理器
２３５：フィンガ＃１シンボル復調
２４０：フィンガ＃Ｎシンボル復調
２４５：セクタ＃１シンボル結合器
２５０：セクタ＃Ｊシンボル結合器
２５５：Ｉ／Ｑデマルチプレックサ＆サブチャンネルデマルチプレックサ
２６０：Ｉ／Ｑデマルチプレックサ＆サブチャンネルデマルチプレックサ
２６５：セル＃１シンボル結合器
２７０：セル＃Ｋシンボル結合器
２７５：サブチャンネルシンボル決定器
【図１】
2007189700.tif 000004
【図２】
2007189700.tif 000005
【図３】
2007189700.tif 000006
【図４】
2007189700.tif 000007